(57)【要約】【課題】話者が読み上げる原稿をわかりやすく表示することが可能な表示装置、及び、表示装置における表示方法を提供する。【解決手段】文字列を表示する表示パネル４２を備えた携帯電話機１は、話者により読み上げられる原稿を第１の表示状態で表示パネル４２に表示させ、話者の音声を取得して解析することにより、話者が発声した語句を認識し、認識した語句をもとに、表示パネル４２に表示中の原稿のうち読み上げられた部分を特定し、この特定した部分の表示状態を、第１の表示状態とは異なる第２の表示状態に変化させる。【選択図】図１
2009271814.tif 000002
【特許請求の範囲】
【請求項１】
文字列を表示する表示画面を備えた表示装置において、
話者により読み上げられる原稿を第１の表示状態で前記表示画面に表示させる表示制御
手段と、
前記話者の音声を取得して解析することにより、話者が発声した語句を認識する音声認
識手段と、
前記音声認識手段により認識された語句をもとに、前記表示手段に表示中の原稿のうち
読み上げられた部分を特定する読み上げ判定手段と、を備え、
前記表示制御手段は、前記表示手段により表示中の原稿のうち、前記読み上げ判定手段
により特定された部分の表示状態を、前記第１の表示状態とは異なる第２の表示状態に変
化させること、
を特徴とする表示装置。
【請求項２】
前記表示制御装置は、前記表示画面に表示中の原稿のうち、前記読み上げ判定手段によ
り特定された部分より前に、前記読み上げ判定手段により特定されていない部分がある場
合には、この部分を読み飛ばされた部分として特定し、その表示状態を、前記第１及び第
２の表示状態とは異なる第３の表示状態に変化させること、
を特徴とする請求項１記載の表示装置。
【請求項３】
前記表示制御装置は、前記表示画面に表示中の原稿のうち、前記第３の表示状態で表示
されている部分が前記読み上げ判定手段により特定された場合には、この特定された部分
の表示状態を前記第２の表示状態に変化させること、
を特徴とする請求項２記載の表示装置。
【請求項４】
前記話者が原稿を読み上げる間に投影または表示される画像を撮影する撮影手段と、
前記原稿の読み上げ箇所と前記画像との対応を定めた画像対応情報を記憶する記憶手段
と、をさらに備え、
前記表示制御手段は、前記撮影手段により撮影された画像が切り替えられた場合に、前
記記憶手段に記憶された画像対応情報に基づいて、切り替え後の前記画像に対応する読み
上げ箇所から後の前記原稿を前記表示画面に表示させること、
を特徴とする請求項１から３のいずれかに記載の表示装置。
【請求項５】
前記表示制御手段は、前記撮影手段により撮影された画像の切り替えに応じて、切り替
え後の前記画像に対応する読み上げ箇所以後の前記原稿を前記表示画面に表示させる際に
、切り替え後の前記画像に対応する読み上げ箇所以前であって前記第１の表示状態で表示
中の部分を、前記第１の表示状態とは異なる表示状態で前記表示画面に継続して表示させ
ること、
を特徴とする請求項４記載の表示装置。
【請求項６】
文字列を表示する表示画面を備えた表示装置により、
話者により読み上げられる原稿を第１の表示状態で前記表示画面に表示させ、
前記話者の音声を取得して解析することにより、話者が発声した語句を認識し、
認識した語句をもとに、前記表示手段に表示中の原稿のうち読み上げられた部分を特定
し、
前記表示手段により表示中の原稿のうち読み上げられた部分として特定した部分の表示
状態を、前記第１の表示状態とは異なる第２の表示状態に変化させること、
を特徴とする表示装置における表示方法。
【発明の詳細な説明】
【技術分野】
【０００１】
本発明は、表示画面を備えた表示装置、および、表示装置における表示方法に関する。
【背景技術】
【０００２】
従来、プレゼンテーションの際に、プレゼンター（話者）が読み上げる原稿を表示する
装置が知られている（例えば、特許文献１参照）。
特許文献１には、プレゼンテーションで用いる画像を液晶プロジェクタに出力するノー
ト型コンピュータが、出力中の画像を表示するメイン液晶ディスプレイとは別に、サブ液
晶ディスプレイを備えた構成として、このサブ液晶ディスプレイに原稿を表示するシステ
ムが開示されている。
【特許文献１】特開２００４−１９８８３５号公報
【発明の開示】
【発明が解決しようとする課題】
【０００３】
ところで、話者が読み上げる原稿が長い場合、プレゼンテーションの途中で話者自身が
どこを読み上げているのか分からなくなることがあるという問題があった。特に、画像を
投影または表示してプレゼンテーションを行う場合、話者は緊張した状態で画像や聴衆に
注意を払いながら原稿を読み上げなければならず、このような話者の負担を軽減すること
が望まれていた。
そこで本発明は、話者が読み上げるべき原稿をわかりやすく表示することが可能な表示
装置、及び、表示装置における表示方法を提供することを目的とする。
【課題を解決するための手段】
【０００４】
上記課題を解決するため、本発明は、文字列を表示する表示画面を備えた表示装置にお
いて、話者により読み上げられる原稿を第１の表示状態で前記表示画面に表示させる表示
制御手段と、前記話者の音声を取得して解析することにより、話者が発声した語句を認識
する音声認識手段と、前記音声認識手段により認識された語句をもとに、前記表示手段に
表示中の原稿のうち読み上げられた部分を特定する読み上げ判定手段と、を備え、前記表
示制御手段は、前記表示手段により表示中の原稿のうち、前記読み上げ判定手段により特
定された部分の表示状態を、前記第１の表示状態とは異なる第２の表示状態に変化させる
こと、を特徴とする表示装置を提供する。
この構成によれば、話者が読み上げる原稿が表示画面に表示され、この表示された原稿
のうち、話者が発声して読み上げた箇所の表示状態が変化するので、話者は、表示画面に
表示された原稿を見ながら読み上げることができ、さらに、既に読み上げられた既読部分
と、まだ読み上げられていない未読部分とを視覚的に明瞭に区別できる。つまり、話者は
、表示画面の原稿を見ながら、どこまで読み上げたかを容易に知ることができる。これに
より、話者が読み上げる原稿をわかりやすく表示し、話者の負担を大幅に軽減できる。
【０００５】
上記構成において、前記表示制御装置は、前記表示画面に表示中の原稿のうち、前記読
み上げ判定手段により特定された部分より前に、前記読み上げ判定手段により特定されて
いない部分がある場合には、この部分を読み飛ばされた部分として特定し、その表示状態
を、前記第１及び第２の表示状態とは異なる第３の表示状態に変化させてもよい。
この場合、話者が原稿の一部を読まずに、その先の部分を読み上げてしまった場合、す
なわち一部を読み飛ばしてしまった場合には、その読み飛ばした部分が、既読部分とも未
読部分とも異なる表示状態で表示されるので、読み飛ばしをしてしまったことを、話者が
速やかに知ることができ、速やかに読み直す等の対応をすることができる。
また、上記構成において、前記表示制御装置は、前記表示画面に表示中の原稿のうち、
前記第３の表示状態で表示されている部分が前記読み上げ判定手段により特定された場合
には、この特定された部分の表示状態を前記第２の表示状態に変化させてもよい。
この場合、話者が読み飛ばしてしまった部分を、その後に読み直した場合には、読み飛
ばした部分の表示状態が既読部分と同様の表示状態に切り替わるので、読み飛ばしが解消
されたことを、話者が速やかに知ることができる。
【０００６】
さらに、上記構成において、前記話者が原稿を読み上げる間に投影または表示される画
像を撮影する撮影手段と、前記原稿の読み上げ箇所と前記画像との対応を定めた画像対応
情報を記憶する記憶手段と、をさらに備え、前記表示制御手段は、前記撮影手段により撮
影された画像が切り替えられた場合に、前記記憶手段に記憶された画像対応情報に基づい
て、切り替え後の前記画像に対応する読み上げ箇所から後の前記原稿を前記表示画面に表
示させてもよい。
この場合、話者が原稿を読み上げる間に投影または表示される画像、例えば、プレゼン
テーション用のスライドが切り替えられると、切り替え後の画像に対応する部分の原稿が
表示装置に表示されるので、投影または表示される画像と同期して、原稿をよりわかりや
すく表示することが可能になり、話者の負担をより一層軽減できる。
【０００７】
さらにまた、上記構成において、前記表示制御手段は、前記撮影手段により撮影された
画像の切り替えに応じて、切り替え後の前記画像に対応する読み上げ箇所以後の前記原稿
を前記表示画面に表示させる際に、切り替え後の前記画像に対応する読み上げ箇所以前で
あって前記第１の表示状態で表示中の部分を、前記第１の表示状態とは異なる表示状態で
前記表示画面に継続して表示させさせてもよい。
この場合、話者が原稿を読み上げる間に投影または表示される画像、例えば、プレゼン
テーション用のスライドが切り替えられた場合に、その前に投影または表示されていた画
像に対応する原稿のうち未読部分の表示状態が変化するので、前の画像に対応する原稿の
未読部分があることを話者に速やかに知らせることができる。これにより、話者は、投影
または表示される画像の切り替えと原稿の読み上げとにずれを生じたことを知ることがで
き、原稿の読み上げ速度や画像の切り替えタイミングを修正することも可能となる。
【０００８】
また、上記課題を解決するため、本発明は、文字列を表示する表示画面を備えた表示装
置により、話者により読み上げられる原稿を第１の表示状態で前記表示画面に表示させ、
前記話者の音声を取得して解析することにより、話者が発声した語句を認識し、認識した
語句をもとに、前記表示手段に表示中の原稿のうち読み上げられた部分を特定し、前記表
示手段により表示中の原稿のうち読み上げられた部分として特定した部分の表示状態を、
前記第１の表示状態とは異なる第２の表示状態に変化させること、を特徴とする表示装置
における表示方法を提供する。
この方法によれば、話者が読み上げる原稿が表示画面に表示され、この表示された原稿
のうち、話者が発声して読み上げた箇所の表示状態が変化するので、話者は、表示画面に
表示された原稿を見ながら読み上げることができ、さらに、既に読み上げた既読部分と、
まだ読み上げていない未読部分とを視覚的に明瞭に区別できる。つまり、話者は、表示画
面の原稿を見ながら、どこまで読み上げたかを容易に知ることができる。これにより、話
者が読み上げる原稿をわかりやすく表示し、話者の負担を大幅に軽減できる。
【発明の効果】
【０００９】
本発明によれば、話者が読み上げるべき原稿を表示画面に表示するとともに、話者の音
声に基づいて原稿の表示状態を変更することにより、話者が、既に読み上げた既読部分と
、まだ読み上げていない未読部分とを視覚的に明瞭に区別することが可能になるので、話
者が読み上げる原稿をわかりやすく表示し、話者の負担を大幅に軽減できる。
【発明を実施するための最良の形態】
【００１０】
以下、図面を参照して本発明の実施形態について説明する。
図１は、本発明を適用した実施形態に係る表示装置としての携帯電話機１の使用状態を
示す図である。
この図１において、５０はプロジェクタ、５３はスクリーンである。プロジェクタ５０
には、映像ソースとしてのコンピュータ５５が接続され、コンピュータ５５が出力する映
像信号に基づいて、プロジェクタ５０がスクリーン５３上に画像５４を投影する。
携帯電話機１は、これらプロジェクタ５０、スクリーン５３及びコンピュータ５５を用
いて説明、講義、プレゼンテーション等（以下、本実施形態ではプレゼンテーションとい
う）を行う場合に、話者（プレゼンター）が話す原稿を表示する原稿表示機能を備えてい
る。この携帯電話機１の原稿表示機能を用いれば、話者は、紙の原稿を持たずに原稿を読
み上げることができる。
【００１１】
図２は、携帯電話機１の機能的構成を示すブロック図である。
携帯電話機１は、各部を制御する制御部１０、制御部１０により処理される各種データ
等を記憶する記憶部１１（記憶手段）、携帯電話機１の外部の外部記憶媒体１５に対して
データの読み取り及び書き込みを行う外部インタフェース部１２を備えており、制御部１
０は、記憶部１１に記憶されたデータに加え、外部インタフェース部１２を介して外部記
憶媒体１５から読み取ったデータを、上記の原稿表示機能の実行時に利用可能である。
ここで、外部記憶媒体１５は、例えば半導体記憶素子を用いたカード型のデバイスであ
り、外部インタフェース部１２は、例えば、カード型のデバイスを挿入可能なスロットを
備えている。また、外部記憶媒体１５として、他の電子機器を用いてもよく、この場合、
外部インタフェース部１２は、上記電子機器との間でデータを送受信するための通信イン
タフェースとして、例えば、Ｂｌｕｅｔｏｏｔｈ（登録商標）、無線ＬＡＮ、赤外線通信
インタフェース等を備えて構成される。
【００１２】
また、携帯電話機１は、話者による操作を検出する操作部２０、及び、原稿等の各種情
報を表示する表示部４０を備えている。
表示部４０は、液晶表示パネルや有機ＥＬパネル等からなる表示パネル４２と、表示パ
ネル４２を構成する表示素子を駆動して表示パネル４２に画像を表示させる表示ドライバ
４１とを備えている。また、本実施形態では、表示パネル４２が液晶表示パネルであるも
のとして、この表示パネル４２を背面側から照明するバックライト４３を備えた構成とす
る。表示パネル４２が有機ＥＬパネルで構成される場合にはバックライト４３は不要であ
る。
操作部２０は、表示パネル４２に重ねて配設されるタッチセンサ２１、数字キーや文字
キー等を含むキー入力部２２、及び、タッチセンサ２１及びキー入力部２２における操作
を検出する操作検出部２３を備えている。操作検出部２３は、キー入力部２２における操
作を検出して、操作されたキーに対応する操作信号を生成して制御部１０に出力する。ま
た、操作検出部２３は、タッチセンサ２１の操作を検出すると、タッチセンサ２１におけ
る操作位置を示す操作信号を生成して制御部１０に出力する。
【００１３】
携帯電話機１は、周囲の明るさを検出する照度センサ２４を備えている。照度センサ２
４は、フォトダイオードまたはフォトトランジスタを用いた検出部を備え、この検出部は
携帯電話機１本体の表面に露出するように配設される。照度センサ２４は、携帯電話機１
の周囲の明るさに応じた検出値を制御部１０に出力し、制御部１０は、照度センサ２４か
ら入力される検出値に基づいて周囲の明るさを判別する。なお、照度センサ２４がアナロ
グ電気信号を出力するものである場合に、このアナログ電気信号を増幅してデジタルデー
タに変換して制御部１０に出力するＡ／Ｄ変換回路を設けてもよい。
【００１４】
また、携帯電話機１は、ＣＣＤイメージセンサやＣＭＯＳイメージセンサ等の撮像素子
とレンズとを備えた撮影部２５と、制御部１０の制御に従って撮影部２５の撮像素子を制
御して撮影を行う撮影制御部２６とを備え、これら撮影部２５及び撮影制御部２６により
カメラ撮影機能を提供する。撮影制御部２６は、撮影部２５の撮像素子が出力するデータ
をデジタル画像データの形式に変換して、制御部１０に出力する。なお、撮影部２５がレ
ンズを移動させて撮影倍率を変化させるズーム機能を備えた構成としてもよく、この場合
、撮影制御部２６は、撮影部２５を駆動制御して所定の撮影倍率を実現する。撮影部２５
は撮影制御部２６とともに撮影手段として機能する。
【００１５】
さらに、携帯電話機１は、アンテナ２８を介して、基地局（図示略）との間で無線信号
を送受信する通信部２７を備えている。通信部２７は、制御部１０から入力される送信用
のデジタルデータに基づいて、内蔵するベースバンド部（図示略）によりベースバンド信
号を生成し、このベースバンド信号を変調及び増幅して、アンテナ２８から送信する。ま
た、通信部２７は、アンテナ２８により受信した無線信号を増幅及び復調してデジタルデ
ータを生成し、制御部１０に出力する。通信部２７が無線信号を送受信する基地局（図示
略）は、携帯電話網を提供する通信事業者が設置した無線通信局であり、当該通信事業者
のバックボーン回線に接続され、この基地局（図示略）を介して、携帯電話機１に対して
通信サービスが提供される。携帯電話機１は、携帯電話機としての音声通話時、及び、デ
ータ通信時に、通信部２７及びアンテナ２８を用いて上記基地局との間で通信を実行する
。
【００１６】
携帯電話機１は、さらに、マイク３１によって音声を集音するとともに、スピーカ３２
から音声を出力する音声処理部３０を備える。音声処理部３０は、マイク３１が音声を集
音して出力するアナログ電気信号をデジタルデータに変換して制御部１０及び音声認識部
３３に出力する。また、音声処理部３０は、制御部１０から入力されるデジタルデータに
基づいて音響信号を生成し、この音響信号を増幅してスピーカ３２に出力することで、ス
ピーカ３２から音声を出力させる。
音声認識部３３（音声認識手段）は、音声処理部３０から入力されるデジタルデータを
解析することで、マイク３１が集音した音声に含まれる語を認識し、テキストデータを生
成して、制御部１０に出力する。この音声認識部３３により、携帯電話機１を使用する話
者が話した内容がテキストデータとして制御部１０に入力される。
また、携帯電話機１は、内蔵する半導体レーザ発振器により赤色や緑色のレーザ光を生
成し、所定方向に出射するレーザ発光部３５を備えている。制御部１０は、操作部２０に
より検出した操作に応じて、レーザ発光部３５に対する駆動電流のＯＮ／ＯＦＦを制御す
る。レーザ発光部３５は、スクリーン５３（図１）に投影された画像５４を指し示すレー
ザポインタとして利用される。このレーザ発光部３５を簡単に操作できるように、キー入
力部２２に、発光指示用の独立したスイッチを設け、このスイッチの押下中にのみレーザ
発光部３５が発光する構成としてもよい。
【００１７】
このように構成される携帯電話機１は、携帯電話機として機能する場合、音声通話およ
びデータ通信を実行可能である。音声通話の実行時、携帯電話機１は、通信部２７によっ
て基地局（図示略）との間で通話開始に係る制御信号を送受信し、発呼または着呼の動作
を行って、音声通話を開始する。音声通話中、制御部１０は音声処理部３０を制御して、
マイク３１により話者の音声を取得して通信部２７により音声データを送信するとともに
、通信部２７により受信した音声データに基づいてスピーカ３２から音声を出力させる。
また、携帯電話機１は、電子メールの送受信やブラウザ機能によるウェブページの閲覧等
を実行する場合、通信部２７によって基地局（図示略）との間でデータ通信開始に係る制
御信号を送受信し、上記通信事業者が提供するゲートウェイサーバとの間でデータを送受
信する。
【００１８】
また、携帯電話機１は、図１に示したようにプレゼンテーションを実行する際に、プレ
ゼンテーションで話者が読み上げるべき原稿を表示パネル４２に表示する原稿表示機能を
有する。この原稿表示機能の実行時、制御部１０は、表示制御手段及び読み上げ判定手段
として機能する。
原稿表示機能の実行時に、制御部１０は、記憶部１１に記憶した原稿のテキストデータ
を取得して、このテキストデータを表示するための表示情報を生成し、表示部４０に出力
する。ここで、原稿のテキストデータが外部記憶媒体１５に記憶されている場合は、この
テキストデータを外部インタフェース部１２により読み取って、記憶部１１に記憶した状
態で、原稿表示機能を実行する。
記憶部１１に記憶された原稿のテキストデータは、１回分のプレゼンテーションに対応
する連続したテキストデータ、或いは、１回分のプレゼンテーションに対応するテキスト
データを複数に分割したデータである。この比較的長文のテキストデータには、複数のイ
ンデックスが付されており、このインデックスを指標として、テキストデータ中の任意の
位置を指定できるようになっている。
そして、記憶部１１には、プレゼンテーションにおいてスクリーン５３に投影されるス
ライドと、テキストデータのインデックスとを対応づけるスライド対応情報１１ａ（画像
対応情報）が記憶される。ここで、スライドとは、プレゼンテーション中に画像５４とし
てスクリーン５３に投影される説明用の画像である。
また、制御部１０は、原稿表示機能の実行時に、照度センサ２４により検出した周囲の
照度に基づいて、バックライト４３の輝度を変化させる制御を行う。これにより、例えば
プレゼンテーション中に周囲が暗くなっても、原稿を見やすく表示できる。
【００１９】
図３は、記憶部１１に格納されるスライド対応情報１１ａの構成例を模式的に示す図で
ある。
この図３に例示するように、スライド対応情報１１ａは、スライドの番号と、そのスラ
イドに対応するテキストデータの先頭位置のインデックスを示すインデックス番号とが、
対応づけられている。
例えば、Ｎｏ．１〜の番号が付されたスライドを使用するプレゼンテーションの原稿の
テキストデータに、Ｎｏ．０１〜のインデックスが付与され、記憶部１１には図３に例示
するスライド対応情報１１ａが記憶されている場合、Ｎｏ．３のスライドの説明は、テキ
ストデータのＮｏ．０６のインデックスを先頭とする部分である。このため、例えば、Ｎ
ｏ．３のスライドがスクリーン５３に投影された場合に、Ｎｏ．０６のインデックス以後
のテキストデータが読み上げられると、スライドとテキストデータとが連動した、好まし
いプレゼンテーションとなる。
【００２０】
図４は、携帯電話機１の原稿表示機能の実行時における動作を示すフローチャートであ
る。この図４に示す動作は、制御部１０が携帯電話機１の各部を制御することにより実行
される。
制御部１０は、まず、記憶部１１に記憶している原稿のテキストデータを読み出し（ス
テップＳ１１）、操作部２０の操作により表示開始の指示がなされるまで待機する（ステ
ップＳ１２）。
ここで、話者が表示パネル４２に接触する操作やキー入力部２２のキーを押下する等の
操作がなされ、表示開始が指示された場合（ステップＳ１２；Ｙｅｓ）、制御部１０は、
撮影部２５によってスクリーン５３に投影された画像５４の撮影を開始し、スクリーン５
３に投影されている画像５４の切り替わりを検出する（ステップＳ１３）。
【００２１】
プレゼンテーションを開始する前は、通常、プレゼンテーションのタイトルを含む表紙
のスライドが画像５４として投影されていたり、青一色の背景画像が画像５４として投影
されていたり、或いは、コンピュータ５５の通常動作時（待機時）の画面が画像５４とし
て投影されていたりする。そして、プレゼンテーションが始まると、話者あるいは補助者
がコンピュータ５５を操作して、説明用のスライドの投影を開始し、画像５４は説明用の
スライドに切り替えられる。そこで、制御部１０は、原稿表示の開始が指示された後、ス
クリーン５３に投影されている画像５４が切り替わったことを検出して、この切り替わり
をプレゼンテーション開始のトリガとする。
画像５４の切り替わりを検出するため、ステップＳ１３においては、話者が携帯電話機
１の撮影部２５のレンズをスクリーン５３に向ける操作を行い、制御部１０は、撮影部２
５の撮影画像データを所定周期で取得して、以前に取得した撮影画像データと比較する処
理を行う。ここで、撮影部２５のレンズをスクリーン５３に向けるよう案内するメッセー
ジを、表示パネル４２に表示してもよい。
【００２２】
画像５４の切り替わりを検出すると（ステップＳ１３；Ｙｅｓ）、制御部１０は、音声
認識部３３による音声認識処理を開始するとともに（ステップＳ１４）、表示ドライバ４
１を制御して、ステップＳ１１で読み出した原稿のテキストデータを表示パネル４２に表
示させる（ステップＳ１５）。ステップＳ１５で表示される範囲は、例えば、原稿のテキ
ストデータの先頭から、表示パネル４２の表示文字数及び表示行数の制限に納まる範囲で
ある。
その後、制御部１０は、音声認識部３３により認識されたテキストデータを、表示パネ
ル４２に表示中のテキストデータと照合し、表示中のテキストデータのうち音声認識部３
３により認識された部分を、話者が読み上げた既読部分であると特定して、この既読部分
の表示状態を変更する（ステップＳ１６）。このステップＳ１６で、制御部１０は、表示
状態を変更した既読部分が、表示パネル４２の表示領域の所定以上の割合を占めるように
なった場合には、表示パネル４２に表示するテキストデータの範囲を移動させ、表示をス
クロールする。これにより、表示パネル４２に表示中のテキストデータのうち、話者が読
み上げた部分の表示状態が順次変更されていくので、どこまで読み上げたかを話者が容易
に把握できる。また、既読部分が表示パネル４２の所定位置まで進むと表示がスクロール
され、続く部分のテキストデータが表示されるので、快適にプレゼンテーションを続ける
ことができる。
【００２３】
また、制御部１０は、音声認識部３３により認識されたテキストデータを、表示パネル
４２に表示中のテキストデータと照合した結果、読み飛ばしが発生したか否かを判別する
（ステップＳ１７）。読み飛ばしとは、表示パネル４２に表示中のテキストデータの一部
を話者が読み上げないで、その先の部分を読み上げた場合に発生する。読み飛ばしが発生
した場合（ステップＳ１７；Ｙｅｓ）、制御部１０は、読み飛ばされた部分の表示状態を
、ハイライト表示に変更し（ステップＳ１８）、ステップＳ１６に戻って処理を繰り返す
。
読み飛ばしは、例えば、制御部１０がステップＳ１６で特定した既読部分と、先に特定
した既読部分とが連続せず、その間に、まだ読み上げられていない未読部分が存在するこ
とで検出でき、既読部分に挟まれた未読部分が読み飛ばされた部分として特定され、ハイ
ライト表示される。
【００２４】
読み飛ばしが発生していない場合（ステップＳ１７；Ｎｏ）、制御部１０は、続いて、
それ以前に読み飛ばしされた部分の読み直しがなされたか否かを判別する（ステップＳ１
９）。読み直しとは、ステップＳ１７で読み飛ばしとして検出された部分が、その後に話
者によって読み上げられたことを指す。制御部１０は、ステップＳ１６で照合したテキス
トデータの中に、それ以前に特定された読み飛ばし部分と一致する部分があった場合（ス
テップＳ１９；Ｙｅｓ）、ハイライト表示されている読み飛ばし部分のうち、読み直され
た部分のハイライト表示を終了して（ステップＳ２０）、ステップＳ２１に移行する。ま
た、読み直しに該当する部分が無かった場合や、読み飛ばし部分が無い場合（ステップＳ
１９；Ｎｏ）、制御部１０はステップＳ２１に移行する。
【００２５】
ステップＳ２１において、制御部１０は、撮影部２５の撮影画像データの変化の有無に
基づいて、プロジェクタ５０により画像５４として投影されるスライドが切り替えられた
か否かを判別する。上述のステップＳ１３において、プレゼンテーション開始時のスライ
ドの切り替わりを検出した後も、制御部１０は、撮影部２５の撮影画像データを所定周期
で取得して比較を行い、撮影画像データに所定のレベルを超える変化があった場合には、
ステップＳ２１でスライドが切り替えられたと判別する。この場合、制御部１０は、スラ
イド対応情報１１ａを参照して、切り替え後のスライドに対応するインデックス位置を特
定し、表示パネル４２に表示中のテキストデータのうち特定したインデックス位置よりも
前の部分の表示状態を、強調表示に切り替えて、この部分を継続して表示パネル４２に表
示させる（ステップＳ２２）。続いて、制御部１０は、切り替え後のスライドに対応する
インデックス以後のテキストデータが表示パネル４２に表示されるように、表示パネル４
２に表示するテキストデータの範囲を移動させてスクロールを行わせる（ステップＳ２３
）。つまり、制御部１０は、撮影部２５の撮影画像データの変化の有無に基づいてスライ
ドの切り替わりを検出した場合に、表示パネル４２に、切り替え後のスライドに対応する
原稿を表示するようスクロール及び表示変更を行うが、前のスライドに対応する原稿のう
ち未読部分がある場合は、この未読部分は強調表示の状態で、継続して表示されるように
する。
【００２６】
そして、制御部１０は、記憶部１１から読み出した当該プレゼンテーション用のテキス
トデータの全てが読み上げられたか否かに基づいて、読み上げが終了したか否かを判別し
（ステップＳ２４）、読み上げが終了していなければステップＳ１６に戻って処理を繰り
返し、読み上げが終了した場合は本処理を終了する。このステップＳ２４で、制御部１０
は、音声認識部３３から入力されるテキストデータの有無、或いは、音声処理部３０がマ
イク３１によって集音した音声の変化に基づいて、読み上げが終了したか否かを判別して
もよい。
一方、画像５４として投影されるスライドが切り替えられなかった場合（ステップＳ２
１；Ｎｏ）、制御部１０は、そのままステップＳ２４に移行して上記の判別を行う。
【００２７】
図５は、図４に示す動作中における原稿のテキストデータの表示例を示す図である。
この図５に例示するように、プレゼンテーションの実行中、携帯電話機１の表示パネル
４２には、読み上げ用テキストデータ４５が表示される。
読み上げ用テキストデータ４５は、通常、下線等が付されない状態で表示されている（
第１の表示状態）が、既に話者が読み上げた既読部分４５ａは、図４のステップＳ１６で
読み上げたと判別され、表示状態が変更される。図５の例では、既読部分４５ａには下線
が付されており（第２の表示状態）、未読部分４５ｃとの相違が明瞭である。このため、
話者に対して、どこまで読み上げたかを明確に伝えることができ、話者は下線が付いてい
ないテキストデータを読み上げればよく、原稿の読み間違い等を防止できる。
また、図４のステップＳ１７に関して説明したように、話者が、表示パネル４２に表示
された読み上げ用テキストデータ４５の一部を読み飛ばした場合、読み飛ばした部分はハ
イライト表示される（第３の表示状態）。図５の例ではハイライト表示部４５ｂが、読み
飛ばされた部分に相当する。ハイライト表示部４５ｂの表示状態は、例えば、文字自体が
点滅する表示状態、文字に重なる位置又は文字の近傍に模様が表示され、この模様が点滅
する表示状態、文字に重なる位置又は文字の近傍にカラーの模様が表示される表示状態等
である。
ハイライト表示部４５ｂのテキストを話者が読み上げると、図４のステップＳ１９で説
明した読み直しとなり、ハイライト表示部４５ｂのハイライト表示は、通常の既読部分４
５ａと同様の下線表示に切り替えられる。
【００２８】
以上のように、本発明の実施形態に係る携帯電話機１によれば、プレゼンテーションに
おいて話者が読み上げる原稿のテキストデータが記憶部１１から読み出され、表示パネル
４２に表示されるので、話者は表示パネル４２に表示される原稿を見ながらプレゼンテー
ションを行うことができる。また、制御部１０は、表示パネル４２に表示された原稿のテ
キストデータのうち、音声認識部３３により認識されたテキストデータと一致する部分の
表示状態を変化させるので、話者が発声して読み上げた箇所の表示状態が変化し、これに
より、話者は、既に読み上げた既読部分と、まだ読み上げていない未読部分とを視覚的に
明瞭に区別でき、どこまで読み上げたかを容易に知ることができる。これにより、話者が
読み上げる原稿をわかりやすく表示し、話者の負担を大幅に軽減できる。
【００２９】
また、上記構成において、制御部１０は、表示パネル４２に表示中の原稿のテキストデ
ータのうち、読み上げられた部分として特定された部分より前に、未読部分がある場合に
は、この未読部分の表示状態を、未読部分とも既読部分とも異なる表示状態、すなわちハ
イライト表示に変更するので、話者が原稿の一部を読み飛ばしてしまった場合に、読み飛
ばしをしてしまったこと、及び読み飛ばした部分を、話者に速やかに知らせることができ
、話者は読み直す等の対応ができる。
また、このハイライト表示された部分が読み上げられた場合、制御部１０は、当該部分
の表示状態を、ハイライト表示から既読部分の表示状態に変化させるので、話者が読み飛
ばしてしまった部分を読み直した場合に、読み飛ばしが解消されたことを、話者が速やか
に知ることができる。
【００３０】
さらに、制御部１０は、撮影部２５により画像５４を撮影した撮影画像データの変化に
基づいて、画像５４として投影されるスライドの切り替わりを検出すると、記憶部１１に
記憶したスライド対応情報１１ａに基づいて、切り替わり後のスライドに対応するインデ
ックス位置から後の部分のテキストデータを表示パネル４２に表示させる。これにより、
原稿をスライドに同期させて表示することが可能になり、話者がより原稿を読み上げやす
くなって、話者の負担を軽減できる。
また、制御部１０は、スライドの切り替わりを検出した場合に、切り替え前のスライド
に対応する部分のテキストデータのうち、未読部分がある場合は、この未読部分の表示状
態を、未読部分とも異なる表示状態、例えば強調表示に変化させるので、前のスライドに
対応する未読部分があることを話者に速やかに知らせることができる。これにより、話者
は、投影または表示される画像の切り替えと原稿の読み上げとにずれを生じたことを知る
ことができ、原稿の読み上げ速度や画像の切り替えタイミングを修正することも可能とな
る。
ここで、制御部１０は、撮影部２５により撮影された撮影画像データの変化をもとにス
ライドの切り替わりを検出するので、プロジェクタ５０やコンピュータ５５と携帯電話機
１との間でデータや制御信号の送受信等を行うことなく、スライドの切り替わりと原稿の
表示とを同期させることができる。このため、プロジェクタ５０やコンピュータ５５の仕
様とは無関係に上記機能を発揮することが可能であり、プロジェクタ５０に代えてＯＨＰ
（Over Head Projector）を用いて画像５４を投影した場合も同様の機能を発揮できる。
また、制御部１０は、プレゼンテーションが開始されたことを、撮影部２５の撮影画像
データの変化に基づいて検出するので、プレゼンテーションの開始を指示する操作が不要
である。これにより、携帯電話機１を用いることでスムーズにプレゼンテーションを開始
および進行させることができるという利点がある。
【００３１】
そして、携帯電話機１は、話者が所有する通話機能を備えた携帯電話機であるから、話
者は自分の携帯電話機１の記憶部１１に予め原稿のテキストデータを記憶させておくこと
により、プレゼンテーションの準備をすることができる。このテキストデータを事前に表
示パネル４２に表示させて、プレゼンテーションの原稿確認や読み上げの練習をすること
もできる。加えて、携帯電話機１はレーザ発光部３５を備え、このレーザ発光部３５が発
する光をスクリーン５３に当てることで、レーザポインタとして使用できる。このため、
携帯電話機１は、原稿を表示する機能と、レーザポインタとして画像５４の所望の箇所を
指し示す機能とを兼ねるものとなる。これにより、話者は、プレゼンテーションの最中に
携帯電話機１を持っているだけで、原稿を見て読み上げることも、画像５４の所望の箇所
を指し示すこともでき、プレゼンテーション中の話者の負担がより軽減される。そして、
このような使用方法では、話者が携帯電話機１の表示パネル４２から目を離すことが少な
くないが、上述したように、表示パネル４２においては未読部分と既読部分とが異なる表
示状態で表示されるので、どこまで読み上げたか速やかに知ることができる。従って、原
稿表示機能とレーザポインタとしての機能とを一つの装置に持たせた場合において、非常
に良好な使用感、利便性を実現できる。
【００３２】
なお、上述した各実施形態は、あくまでも本発明の一態様を示すものであり、本発明の
範囲内で任意に変形および応用が可能である。
例えば、上記の実施形態においては、話者（プレゼンター）がプレゼンテーション中に
読み上げる原稿のテキストデータを記憶部１１に記憶し、このテキストデータを制御部１
０が読み出して表示パネル４２に表示する構成としたが、本発明はこれに限定されるもの
ではない。例えば、原稿のデータはテキストデータに限らず、制御部１０の制御により文
字列を表示パネル４２に表示可能なデータであれば、ファイルフォーマット等は任意であ
り、記憶部１１における記憶容量を節約するために圧縮されていてもよく、セキュリティ
面の配慮から暗号化されて記憶部１１に記憶されていてもよい。また、表示パネル４２に
原稿を表示した状態で、表示中の原稿の部分に対応するスライドの番号や、当該スライド
の縮小画像を並べて表示してもよい。また、プロジェクタ５０に対して画像５４を投影す
るための画像データを送出する機器はコンピュータ５５に限定されず、ＰＤＡや他の電子
機器であってもよい。さらに、制御部１０は、プレゼンテーションの開始前に投影されて
いる画像５４が、他の画像に切り替わった場合にプレゼンテーションが開始されたものと
して原稿の表示を開始する構成としたが、例えば、プレゼンテーションの開始前に原稿の
テキストデータの先頭部分を表示パネル４２に表示していてもよく、プレゼンテーション
の開始を、操作部２０における操作により指示してもよい。また、画像５４のどの状態を
１枚目のスライドとしてカウントするかは任意であり、その他、携帯電話機１の具体的な
細部構成についても任意に変更可能である。
【図面の簡単な説明】
【００３３】
【図１】実施形態に係る携帯電話機の使用状態を示す概略図である。
【図２】携帯電話機の構成を示すブロック図である。
【図３】スライド対応情報の構成例を示す図である。
【図４】携帯電話機の動作を示すフローチャートである。
【図５】原稿のテキストデータの表示例を示す図である。
【符号の説明】
【００３４】
１…携帯電話機（表示装置）、１０…制御部（表示制御手段、読み上げ判定手段）、１
１…記憶部（記憶手段）、１１ａ…スライド対応情報（画像対応情報）、１２…外部イン
タフェース部、２０…操作部、２５…撮影部（撮影手段）、２６…撮影制御部（撮影手段
）、２７…通信部、２８…アンテナ、３０…音声処理部、３１…マイク、３２…スピーカ
、３３…音声認識部（音声認識手段）、３５…レーザ発光部、４０…表示部、４１…表示
ドライバ、４２…表示パネル、４５…読み上げ用テキストデータ、４５ａ…既読部分、４
５ｂ…ハイライト表示部、４５ｃ…未読部分、５０…プロジェクタ、５３…スクリーン、
５４…画像、５５…コンピュータ。
【図１】
2009271814.tif 000003
【図２】
2009271814.tif 000004
【図３】
2009271814.tif 000005
【図４】
2009271814.tif 000006
【図５】
2009271814.tif 000007